Podtech/llm-jp-corpus-v4-ja_patent huggingface dataset:
(57)【要約】【課題】        レンガどうしを固定するモルタルや金具類を使わなくとも、特別な技術を        要せず短時間に建物の壁等を構築できるレンガ組積工法を提供する。【解決手段】      凸凹をもったレンガを組み合わせ積み上げることで、レンガどうしが上下・  左右・前後にズレないように固定できる組積工法を特徴とする。【選択図】  図１
2018168536.tif 000002
【特許請求の範囲】
【請求項１】
凹凸のあるレンガを組み合わせるだけでモルタル等を使うことなく
レンガどうしを固定することができるレンガ組積工法。
【発明の詳細な説明】
【技術分野】
【０００１】
本発明は、凹凸をもったレンガによる組積工法に関するものである。
【背景技術】
【０００２】
耐久性に優れたレンガは古来より多くの国々で建築材料として利用されてきたが、従来のモルタルを使ったレンガ組積工法はレンガ職人の高度な技能を必要とし又、モルタルが固まるまでに時間がかかる。そのため近年ではレンガ内に設けられた穴に金具を通しボルトで上下に連結する組積工法も開発されている。
【先行技術文献】
【特許文献】
【０００３】
【特許文献１】特開２００２-０８１１５２号
【特許文献２】特開２００９-５３７７１８号
【発明の概要】
【発明が解決しようとする課題】
【０００４】
従来のモルタルを使ったレンガ組積工法は、レンガ以外にモルタルの材料やその製造、レンガを組積する際のレンガ職人の高度な技能及びモルタルが固まるまでに時間を必要とした。
一方、レンガ内に設けられた穴に金具を通しボルトでレンガを上下に連結する組積工法はレンガ以外に特別な金具やボルトが必要である。
【課題を解決するための手段】
【０００５】
凹凸のあるレンガを組み合わせるだけでモルタルや金具等を使わずにレンガどうしを固定することができるレンガ組積工法。
【発明の効果】
【０００６】
モルタルや金具等の材料や製造の必要がない。
モルタルが乾くまで待つ必要がない。
モルタルを使ってレンガを組み積む職人の高度な技能を要しない。
特別な技能を要せずレンガだけで建物の壁等を短期間で建てることができ又、再利用も容易にできる。
【図面の簡単な説明】
【０００７】
【図１】本発明のレンガを斜上から見た図である
【図２】本発明のレンガを前後・左右・上下から見た図である
【図３】本発明のレンガを縦方向に２個並べた図である。
【図４】上段に１個積み上げた図である。
【図５】図４を後から見た図である。
【図６】さらに上段に２個積み上げた図である。
【発明を実施するための形態】
【０００８】
以下、本発明を実施するための形態について説明する。
本発明のレンガを縦方向に並べる。
２個のレンガによってできた上面の凸部Ａをもう１個のレンガの下面の凹部Ｂで挟み込むようにスライドさせて上段に積上げることで３個のレンガが上下左右にズレることを防止する。
さらに上段のレンガの前面下部の凸部が下段の２個のレンガの上部の凹部にかぶさることで下段のレンガを抑え前にずれることを防止する。
また上段のレンガの前面に降りかかった雨が下段の２個のレンガの隙間から侵入することも防止することができる。
【符号の説明】
【０００９】
Ａ  ２個のレンガによってできた上面の凸部
Ｂ  レンガの下面の凹部
【図１】
2018168536.tif 000003
【図２】
2018168536.tif 000004
【図３】
2018168536.tif 000005
【図４】
2018168536.tif 000006
【図５】
2018168536.tif 000007
【図６】
2018168536.tif 000008
【手続補正書】
【提出日】平成29年8月4日(2017.8.4)
【手続補正１】
【補正対象書類名】明細書
【補正対象項目名】０００７
【補正方法】変更
【補正の内容】
【０００７】
【図１】本発明のレンガを斜上から見た図である
【図２】本発明のレンガを前後・左右・上下から見た図である
【図３】本発明のレンガを縦方向に２個並べた図である。
【図４】上段に１個積み上げた図である。
【図５】図４を後から見た図である。
【図６】さらに上段に２個積み上げた図である。
【図７】表・裏  ２列に積み上げる方法図である。
【図８】表積・裏積結合用レンガ(左)を積み上げた図である。
【図９】表積・裏積結合用レンガ(右)を積み上げた図である。
【手続補正２】
【補正対象書類名】明細書
【補正対象項目名】０００８
【補正方法】変更
【補正の内容】
【０００８】
以下、本発明を実施するための形態について説明する。
本発明のレンガを縦方向に並べる。
２個のレンガによってできた上面のくさび状の凸部をもう１個のレンガ
の下面のくさび状の凹部で挟み込むようにスライドさせて上段に積上げ
ることで３個のレンガが上下左右にズレることを防止する。
さらに上段のレンガの前面下部の凸部が下段の２個のレンガの上部の
凹部にかぶさることで下段のレンガを抑え前にずれることを防止する。
また上段のレンガの前面に降りかかった雨が下段の２個のレンガの隙間
から侵入することも防止することができる。
又、付加的に表・裏  ２列に積み上げることで、積み上げた壁の強度を
増すこともできる。
【手続補正３】
【補正対象書類名】図面
【補正対象項目名】図７
【補正方法】追加
【補正の内容】
【図７】
2018168536.tif 000009
【手続補正４】
【補正対象書類名】図面
【補正対象項目名】図８
【補正方法】追加
【補正の内容】
【図８】
2018168536.tif 000010
【手続補正５】
【補正対象書類名】図面
【補正対象項目名】図９
【補正方法】追加
【補正の内容】
【図９】
2018168536.tif 000011
(57)【要約】【課題】  低コストでメンテナンスの負荷が小さく、故障の懸念の小さい溢水防止装置を提供する。【解決手段】  基端側の軸１１で回転可能な複数の棒部材１０と、前記棒部材１０を回転させる駆動部材２０と、複数の前記棒部材１０の間を覆う溢水防止シート３０を有することを特徴とする溢水防止装置１とした。【選択図】  図４
2018087426.tif 000002
【特許請求の範囲】
【請求項１】
基端側の軸で回転可能な複数の棒部材と、
前記棒部材を回転させる駆動部材と、
複数の前記棒部材の間を覆う溢水防止シートを有することを特徴とする溢水防止装置。
【請求項２】
前記駆動部材が前記棒部材の先端側に取り付けられたロープであることを特徴とする請求項１に記載の溢水防止装置。
【請求項３】
１つの溢水防止装置のすべての前記棒部材が１本の前記ロープで連結されていることを特徴とする請求項２に記載の溢水防止装置。
【請求項４】
地中に埋設したＵ字溝をさらに有し、
前記棒部材は、倒した状態で前記Ｕ字溝に収容されることを特徴とする請求項１〜３のいずれか一項に記載の溢水防止装置。
【発明の詳細な説明】
【技術分野】
【０００１】
本発明は、増水時に堤体を上昇させることができる溢水防止装置に関する。
【背景技術】
【０００２】
特許文献１は、増水時の水圧で堤体（前板）が回転／上昇する溢水防止装置を開示している。特許文献２は、増水時に浮力で堤体が上昇する溢水防止装置を開示している。
【先行技術文献】
【特許文献】
【０００３】
【特許文献１】特開２０１１−０４７１６０号公報
【特許文献２】特許第５６６４８８８号公報
【発明の概要】
【発明が解決しようとする課題】
【０００４】
特許文献１，２は、自動的に堤体が上昇する利点があるが、その反面、景観が悪くなる、大掛かりな装置が必要で装置コストが高い、故障防止のためのメンテナンスが必要で、故障すれば街等への溢水を招いてしまう、等の欠点がある。
【０００５】
本発明は、低コストで、及び／又は、メンテナンスの負荷が小さく、故障の懸念の小さい溢水防止装置を提供することを目的とする。
【課題を解決するための手段】
【０００６】
本発明は、基端側の軸で回転可能な複数の棒部材と、前記棒部材を回転させる駆動部材と、複数の前記棒部材の間を覆う溢水防止シートを有することを特徴とする溢水防止装置とした。
【発明の効果】
【０００７】
本発明では、棒部材とシートからなる簡単な構成であるため安価である。棒部材を回転させるだけのシンプルなメカニズムなので、メンテナンスが容易で故障の懸念が小さい。
【図面の簡単な説明】
【０００８】
【図１】本発明の一実施形態の溢水防止装置１を示す。
【図２】図１のＸ１−Ｘ１断面図である。
【図３】棒部材１０を立てた状態の溢水防止装置１を示す。
【図４】図３のＸ２−Ｘ２断面図である。
【図５】図４のＸ３−Ｘ３で見た溢水防止シート３０の例を示す。
【発明を実施するための形態】
【０００９】
図１〜図４は、本発明の一実施形態の溢水防止装置１を示す。図１は、棒部材１０を倒した状態の溢水防止装置１であり、図２は、図１のＸ１−Ｘ１断面図である。図３は、棒部材１０を立てた状態の溢水防止装置１であり、図４は、図３のＸ２−Ｘ２断面図である。
【００１０】
溢水防止装置１は、複数（例えば、数本〜数十本）の棒部材１０と駆動部材２０と溢水防止シート３０を有する。
【００１１】
棒部材１０は、例えば、中空又は中実の金属等で構成できる。棒部材１０は、基端側が回転軸１１で回転可能であり、先端側に金属等の取付部１２を有する。棒部材１０は、平時は倒した状態でＵ字溝２に収容される。Ｕ字溝２の上部を蓋２ａで覆い、地面の凹凸を無くすと良い。
【００１２】
各棒部材１０の取付部１２には、駆動部材２０が固定されている。駆動部材２０は、例えば、ロープである。本実施形態では、溢水防止装置１のすべての棒部材１０が１本の駆動部材２０で連結されている。駆動部材２０の一端は自由端２１である。一部（例えば、数本）の棒部材１０を１本の駆動部材２０で連結し、他の一部の棒部材１０を他の駆動部材２０で連結するなど、複数の駆動部材２０を使用してもよい。
【００１３】
溢水防止シート３０は、棒部材１０を立てたときに、複数の棒部材１０の間を覆うシートであり、棒部材１０を倒した状態では、折り畳まれてＵ字溝２に収容される。本実施形態では、溢水防止装置１のすべての棒部材１０が１つの溢水防止シート３０で覆われる。溢水防止シート３０は、例えば、遮水性のシートを使用できる。溢水防止シート３０の下端は、接着剤等の固定部３１でＵ字溝２に固定されている。
【００１４】
図５は、図４のＸ３−Ｘ３で見た溢水防止シート３０の例を示す。溢水防止シート３０は、図５（ａ）のように、複数の棒部材１０を覆う袋の形態でもよく、図５（ｂ）のように、隣接する棒部材１０の間の部分３２を接合してもよく、図５（ｃ）のように、隣接する棒部材１０の間にのみ溢水防止シート３０を張ってもよい。
【００１５】
溢水防止装置１では、蓋２ａを取り外し、駆動部材２０の自由端２１を人力又はトラック等で牽引することで、図３、図４に示すように、棒部材１０を起立させることができる。起立した複数の棒部材１０とそれを覆う溢水防止シート３０が堤体となり、増水時の溢水を防止できる。溢水防止装置１は、構造が簡単で安価である。また、棒部材１０を回転させるだけのシンプルなメカニズムなので、メンテナンスが容易で故障の懸念が小さい。
【産業上の利用可能性】
【００１６】
溢水防止装置１は、河岸や海岸等での陸側への溢水防止に使用できる。
【符号の説明】
【００１７】
１・・・溢水防止装置
２・・・Ｕ字溝
２ａ・・・蓋
１０・・・棒部材
１１・・・回転軸
１２・・・取付部
２０・・・駆動部材
２１・・・自由端
３０・・・溢水防止シート
３１・・・固定部
３２・・・接合部分
【図１】
2018087426.tif 000003
【図２】
2018087426.tif 000004
【図３】
2018087426.tif 000005
【図４】
2018087426.tif 000006
【図５】
2018087426.tif 000007
(57)【要約】【課題】ナットの締結が不要であり、部品点数の少ない接合金物を提供する。【解決手段】棒状の軸部と、前記軸部の一方の端部に、前記軸部に直交するように形成した平板状の座金部と、  前記軸部の他方の端部に、前記軸部の軸と略平行に延びるように形成した平板状の固定板部と、からなる、接合金物。【選択図】図１
2018087414.tif 000002
【特許請求の範囲】
【請求項１】
棒状の軸部と、
前記軸部の一方の端部に、前記軸部に直交するように形成した平板状の座金部と、
前記軸部の他方の端部に、前記軸部の軸と略平行に延びるように形成した平板状の固定板部と、からなる、接合金物。
【請求項２】
請求項１に記載の接合金物において、
前記軸部は、前記固定板部側を傾斜して形成した傾斜部を有し、
前記座金部側の前記軸部の軸と、前記固定板部との間に間隔を有することを特徴とする、接合金物。
【発明の詳細な説明】
【技術分野】
【０００１】
本発明は、木造住宅において、構造材を接合する接合金物に関するものである。
【背景技術】
【０００２】
木造住宅において、交差する２本の構造材を接合する金物として、羽子板ボルトが知られている。
羽子板ボルトは、ボルト軸の頭部に固定板を取り付けたものであり、ボルト軸に座金およびナットを取り付けて、ナットを締め付けることにより、２本の構造材を引きつけて接合する（図５）。
【発明の概要】
【発明が解決しようとする課題】
【０００３】
従来の羽子板ボルトには、以下のような問題点があった。
（１）ナットによる締め付けのため、締め付け力が高すぎると構造材（木）が変形してしまう
（２）ナット緩みにより、接合力が弱くなるおそれがある
（３）部品点数が多くなり、施工効率が低い
【０００４】
本発明は、ナットの締結が不要であり、部品点数の少ない接合金物を提供することを目的とする。
【課題を解決するための手段】
【０００５】
上記目的を達成するためになされた本願の第１発明は、棒状の軸部と、前記軸部の一方の端部に、前記軸部に直交するように形成した平板状の座金部と、前記軸部の他方の端部に、前記軸部の軸と略平行に延びるように形成した平板状の固定板部と、からなる、接合金物を提供する。
本願の第２発明は、第１発明の接合金物において、前記軸部は、前記固定板部側を傾斜して形成した傾斜部を有し、前記座金部側の前記軸部の軸と、前記固定板部との間に間隔を有することを特徴とする、接合金物を提供する。
【発明の効果】
【０００６】
本発明は、上記した課題を解決するための手段により、次のような効果を得ることができる。
（１）座金部を構造材に嵌合して一体とするため、ナットによる締め付けが不要となる。
（２）ナットによる締め付けが不要になるため、締め付けにより構造材が変形することがない。
（３）ナット緩みによる接合力の低下もない。
（４）部品点数が少なく、施工効率が高い。
【図面の簡単な説明】
【０００７】
【図１】本発明の接合金物の説明図
【図２】本発明の接合金物の使用状態の説明図
【図３】本発明の接合金物の使用状態の断面図
【図４】その他実施例にかかる本発明の接合金物の使用状態の説明図
【図５】従来の羽子板ボルトの説明図
【発明を実施するための形態】
【０００８】
以下、図に示す実施例に基づき、本発明を詳細に説明する。
【実施例】
【０００９】
［１］接合金物の構成
（１）全体構成
本発明の接合金物は、鋼棒をプレス加工して形成したものである。
本発明の接合金物は、軸部１と、軸部の両端にそれぞれ形成した固定板部２と座金部３と、からなる（図１）。
【００１０】
（２）軸部
軸部１は鋼棒であり、軸方向中央付近で折曲し、座金部３側に対して固定板部２側を傾斜させて傾斜部１１を形成する。
【００１１】
（３）固定板部
固定部２は、軸部１の一方の端部をプレス加工し、平板状に形成したものである。
固定板部２は、傾斜部１１ではなく、軸部１の軸方向と平行になるように形成する。
固定板部２はビス孔２１を形成し、ビス孔２１に挿通したビス４により、構造材５に固定する。
【００１２】
（３．１）軸部と固定板部の間隔
軸部１の固定板部２側には傾斜部１１を形成する。
このため、座金部３側の軸部１の軸と、固定板部２の下面との間には間隔ｄが設けられる（図３）。
【００１３】
（４）座金部
座金部３は、軸部１の他方の端部をプレス加工し、軸部１より大径の円板状に形成したものである。
座金部３は軸部１に直交する。
【００１４】
［２］接合金物の使用状態
次に、本発明の接合金物を使用した構造材５ａ、５ｂの接合について説明する（図２、３）。
構造材５ａ、５ｂは、例えば桁材とそれに垂直に接合する梁である。
【００１５】
（１）挿通孔
構造材５ａには、接合金物を挿通するための挿通孔５１を貫通する。
挿通孔５１は構造材５ｂの取り付け面から間隔ｄ離して形成する。
構造材５ａの、構造材５ｂと逆側の面の挿通孔５１入口には、座金部３用に座掘りする。
接合金物は傾斜部１１と固定板部２、軸部１は傾斜しているため、挿通孔５１の大きさは、傾斜部１１と固定板部２、軸部１が通過できるように、軸部１よりも大径となる。
【００１６】
（２）挿通孔への挿入
接合金物は挿通孔５１に挿通する。
接合金物は挿通孔５１に挿通するのみでその他の部品が不要であり、現場での施工が容易である。
【００１７】
（３）固定板部の固定
挿通孔５１に接合金物を挿通し、座掘りに座金部３を嵌合して引きつけながら、固定板部２のビス孔２１にビス４を挿通して、構造材５ｂに固定する。
このように、接合にナットを使用しないため、ナットの締め忘れや、締め付けによる構造材５ａの変形がない。
また、ナットを使用しないため、ナットの緩み、脱落がない。
【００１８】
［３］その他実施例
上記の実施例においては、接合金物に傾斜部１１を形成したが、軸部１を直線状としてもよい（図４）。
このとき、接合状態においては、軸部１が湾曲した状態で接合される。
軸部１を直線状にすることにより、上記の実施例と比べて挿通孔５１の径が小さくなる。
これにより、構造材５ａの欠損を少なくすることができ、座金部３の掛かりが大きくなり引っ張り強度が強くなる。
【符号の説明】
【００１９】
１    軸部
１１  傾斜部
２    固定板部
２１  ビス孔
３    座金部
４    ビス
５    構造材
５１  挿通孔
【図１】
2018087414.tif 000003
【図２】
2018087414.tif 000004
【図３】
2018087414.tif 000005
【図４】
2018087414.tif 000006
【図５】
2018087414.tif 000007
(57)【要約】【課題】引き寄せナットの締結が不要であり、部品点数の少なく溶接作業のないホールダウン金物を提供する。【解決手段】管状の螺合部と、前記螺合部の一方の端部に形成した平板状の固定部とからなる、ホールダウン金物。【選択図】図１
2018087416.tif 000002
【特許請求の範囲】
【請求項１】
管状の螺合部と、
前記螺合部の一方の端部に形成した平板状の固定部とからなる、ホールダウン金物。
【請求項２】
請求項１に記載のホールダウン金物において、
前記固定部の前記螺合部と逆側の端部の中央に、前記固定部より幅狭の凸部を形成することを特徴とする、ホールダウン金物。
【発明の詳細な説明】
【技術分野】
【０００１】
本発明は、木造住宅において、横架材から柱材が抜けるのを防止するホールダウン金物に関するものである。
【背景技術】
【０００２】
木造住宅において、土台や梁等の横架材から柱材が抜けるのを防止する金物として、ホールダウン金物が知られている。
ホールダウン金物は、平板状の固定部材に筒状の係合部材を溶接したものであり、係合部材に挿入したアンカーボルトに引き寄せナットを螺合し、引き寄せナットを締め付けることにより固定する（図４）。
【発明の概要】
【発明が解決しようとする課題】
【０００３】
従来のホールダウン金物には、以下のような問題点があった。
（１）引き寄せナットの緩みや締め付け不足により、接合力が弱くなるおそれがある
（２）部品点数が多くなり、施工効率が低い
（３）係合部材を溶接するため、溶接作業の品質よりホールダウン金物の強度品質が不安定になるおそれがある
【０００４】
本発明は、引き寄せナットの締結が不要であり、部品点数の少なく溶接作業のないホールダウン金物を提供することを目的とする。
【課題を解決するための手段】
【０００５】
上記目的を達成するためになされた本願の第１発明は、管状の螺合部と、前記螺合部の一方の端部に形成した平板状の固定部とからなる、ホールダウン金物を提供する。
本願の第２発明は、第１発明のホールダウン金物において、前記固定部の前記螺合部と逆側の端部の中央に、前記固定部より幅狭の凸部を形成することを特徴とするホールダウン金物を提供する。
本願の第３発明は、第１発明のホールダウン金物において、前記螺合部と前記固定部との間に傾斜部を形成し、前記螺合部の軸と前記固定部との間に間隔を有することを特徴とする、ホールダウン金物を提供する。
【発明の効果】
【０００６】
本発明は、上記した課題を解決するための手段により、次のような効果を得ることができる。
（１）螺合部と固定部を一体としてアンカーボルトに螺合するため、引き寄せナットによる締め付けが不要となる。
（２）引き寄せナットによる締め付けが不要になるため、締め付けにより構造材が変形することがない。
（３）引き寄せナットのナット緩みによる接合力の低下もない。
（４）部品点数が少なく、施工効率が高い。
（５）固定部をプレス加工により形成するため、溶接箇所がなくなり、ホールダウン金物の強度品質が安定する。
【図面の簡単な説明】
【０００７】
【図１】ホールダウン金物の説明図
【図２】ホールダウン金物の使用状態の説明図
【図３】その他実施例にかかるホールダウン金物の使用状態の説明図
【図４】従来のホールダウン金物の説明図
【発明を実施するための形態】
【０００８】
以下、図に示す実施例に基づき、本発明を詳細に説明する。
【実施例】
【０００９】
［１］ホールダウン金物の構成
（１）全体構成
本発明のホールダウン金物は、鋼管または鋼棒をプレス加工して形成したものである。
本発明のホールダウン金物は、管状の螺合部１と、螺合部１から延びる固定部２と、からなる（図１）。
【００１０】
（２）螺合部
螺合部１は鋼管の内部または鋼棒の端部を切削して雌ネジ加工を行ったものである。
本発明のホールダウン金物は、アンカーボルト３に螺合するものであり、螺合部１のサイズもアンカーボルト３に螺合するサイズとする。
【００１１】
（３）固定部
固定部２は、鋼管または鋼棒をプレスし平板状にしたものである。
固定部２にはビス孔２１を形成し、ビス孔２１に挿通したビス４により、柱材に固定する。
固定部２をプレス加工により形成するため、溶接箇所がなくなり、ホールダウン金物の強度品質が安定する。
【００１２】
［２］ホールダウン金物の使用状態
次に、本発明のホールダウン金物を使用した構造材５の接合について説明する（図２）。
構造材は、例えば基礎６上に配置する土台５ａとそれに垂直に立設する柱材５ｂである。
【００１３】
（１）ホールダウン金物の螺合
土台５ａから延出するアンカーボルト３にホールダウン金物の螺合部１を螺合し、ホールダウン金物とアンカーボルト３を一体とする。
アンカーボルト３は、柱材５ｂから所定の距離離れた位置にあるため、ホールダウン金物はアンカーボルト３に容易に螺合することができる。
【００１４】
（２）固定部の固定
固定部２のビス孔２１にビス４を挿通して、柱材５ｂに固定する。
アンカーボルト３と柱材５ｂは間隔があるが、アンカーボルト３やホールダウン金物の固定部がしなることにより、ホールダウン金物が柱材５ｂと接触して固定することができる。
本発明のホールダウン金物は本体の螺合部１をアンカーボルト３に螺号して一体とするため、引き寄せナットを使用せず、引き寄せナットの締め忘れがない。また、引き寄せナットを使用しないため、引き寄せナットの緩み、脱落もない。
【００１５】
［３］その他実施例
（１）凸部の形成
ホールダウン金物は、固定部２の螺合部１と逆側の上端に凸部２２を形成してもよい（図３）。
凸部２２は固定部２より幅狭で、固定工具のソケットに嵌合可能な幅とする。回転工具に取り付けたソケットに凸部２２を嵌合することにより、回転工具により容易にホールダウン金物をアンカーボルト３に螺合することができる。
【符号の説明】
【００１６】
１    螺合部
２    固定部
２１  ビス孔
２２  凸部
３    アンカーボルト
４    ビス
５ａ  土台
５ｂ  柱材
【図１】
2018087416.tif 000003
【図２】
2018087416.tif 000004
【図３】
2018087416.tif 000005
【図４】
2018087416.tif 000006
(57)【要約】【課題】  認知症の障害がある高齢者などが、行方不明になった場合、捜索に長時間かかっていた。それは、捜索する方も保護している方も本人確認の情報がない場合が多いからである。【解決手段】  認知症の障害がある高齢者などの衣服に本人確認のための地域表示（番号表示）ネームを取付け、行方不明になった場合でも捜索を敏速に出来るようにする。【選択図】図２
2018087954.tif 000002
【特許請求の範囲】
【請求項１】
認知症の障害がある高齢者などが行方不明になった場合でも捜索を敏速に出来る衣服に取付ける本人確認のための地域表示（番号表示）ネーム
【発明の詳細な説明】
【技術分野】
【０００１】本発明は、本人確認のための地域表示（番号表示）ネームに関するものである。
【背景技術】
【０００２】認知症の障害がある高齢者などが、行方不明になった場合、捜索に長時間かかっていた。
【発明の概要】
【発明が解決しようとする課題】
【０００３】以上に述べたように認知症の障害がある高齢者などが、行方不明になった場合、捜索に長時間かかっていた。それは、捜索する方も、保護している方も本人確認の情報がない場合が多いからである。【０００４】本発明は、このような従来の問題を解決しようとするものであり、認知症の障害がある高齢者などの衣服に本人確認のための地域表示（番号表示）ネームを取付け、行方不明になった場合でも捜索を敏速に出来るものである。
【課題を解決するための手段】
【０００５】シャツやスラックスの裏に取付けられているブランドネームのような形をした本人確認が出来る地域表示（番号表示）ネームを製作する。
地域表示は、本人の住所を利用し、番号表示は本人の住所に該当する郵便番号を利用する。
例えば東京都葛飾区東新小岩５丁目８番９号、該当郵便番号〒１２４−００２３を利用する場合、個人情報の保護と生産量確保のため５丁目の５だけを利用する。
地域表示  東京都葛飾区東新小岩５        番号表示  １２４−００２３−５
地域表示か番号表示のどちらかを選択する。
本人確認が出来る地域表示（番号表示）ネームを製作して認知症の障害がある高齢者などの衣服に取付ける。
行方不明になった場合でも地域表示（番号表示）ネームにより本人の生活拠点が分かり、捜索を敏速に出来るものである。
【発明の効果】
【０００６】上述したように本発明の本人確認のための地域表示（番号表示）ネームは、認知症の障害がある高齢者などの衣服に取付ける事により行方不明になった場合でも本人の生活拠点が分かり捜索を敏速にし行方不明になってしまった人が不安感を抱かないよう配慮をとった地域表示（番号表示）ネームを提供出来る。
【図面の簡単な説明】
【０００７】
【図１】特定した住所を利用した本人確認のための地域表示ネームの一例図
【図２】特定した住所の該当郵便番号を利用した本人確認のための番号表示ネームの一例図
【発明を実施するための形態】
【０００８】図面を参照して説明する。
【０００９】図１の本人確認のための地域表示ネーム１は一例として、葛飾区東新小岩５丁目８番９号を利用し個人情報の保護と生産量確保のため５丁目の５だけを利用して製作してある。
【００１０】図２の本人確認のための番号表示ネーム２は一例として、葛飾区東新小岩５丁目８番９号に該当する郵便番号を利用し個人情報の保護と生産量確保のため５丁目の５だけを利用して製作してある。
【００１１】図１の本人確認のための地域表示ネーム１か図２の本人確認のための番号表示ネーム２のどちらかを選択し、認知症の障害がある高齢者などの衣服に取付ける。行方不明になった場合でも地域表示ネーム１（番号表示ネーム２）により本人の生活拠点が分かり、捜索を敏速に出来る。
【符号の説明】
【００１２】１    地域表示ネーム
２    番号表示ネーム
【図１】
2018087954.tif 000003
【図２】
2018087954.tif 000004
(57)【要約】【課題】  動力の増強。【解決手段】  鋭角のアーム構成で動力を増強。【選択図】図１
2018054125.tif 000002
【特許請求の範囲】
【請求項１】
入力軸と、
入力アームと、
増強板と、
出力アームを設けることを特徴とする増強装置。
【発明の詳細な説明】
【技術分野】
【０００１】  本発明は動力の増強に関する。
【発明の概要】
【発明が解決しようとする課題】
【０００２】  解決しようとする問題点は動力の増強。
【課題を解決するための手段】
【０００３】  本発明は、鋭角のアーム構成を用いることを特徴とする。
【発明の効果】
【０００４】  動力の小型化。
【図面の簡単な説明】
【０００５】
【図１】  増強装置の斜視図
【図２】  リングの斜視図
【図３】  回転部の側面図
【図４】  出力アーム側の平面図
【図５】  図４の反転図
【図６】  増強板の平面図
【図７】  増強板の側面図
【発明を実施するための形態】
【０００６】  以下、本発明の１実施例の形態を図に基づいて説明する。
図１は、任意の大きさの増強装置の外観であり、リング１はベース６が固着。
また、図２のリング１はベース６を省略。
【０００７】  このリング１の側面に、図１の入力側板２、及び出力側板９をビス７で固着。
この構成で図１の回転自在の出力軸５は、出力側板９に固着した出力軸受８及び図３の一部点線で示す、中空の入力軸４で保持。
【０００８】  また回転自在の入力軸４は、入力側板２に図示されていない固着する入力軸受３及び出力軸５で保持。
また、入力アーム１２は、点線で示す軸穴１１に、回転自在のリンク軸１５でリンク。このリンク軸１５は、図６、図７に示す増強板１６に固着。
【０００９】  また図３で省略された増強板１６の出力アーム１４側はリンク軸１７が固着。
このリンク軸１７は図３の出力アーム１４に、点線で示された軸穴１３に回転自在にリンク。この出力アーム１４は、図３に示す出力軸５に固着。
【００１０】  また図示されていない任意の動力で図１の入力軸４を駆動。この駆動に伴いリンク軸１５から増強板１６のリンク軸１７の方向に力が作用。
この力は出力アーム１４から出力軸５に伝わり、出力軸５から図示されていない任意の負荷を駆動する。
【００１１】  この構成において回転力の増強は、リング１、入力側板２、出力側板９を図示されていない大きく設ける。また、リング１の内径に設けるリンク軸１５を頂点に、出力アーム１４を任意の角度及び長さに、入力アーム１２及び増強板１６をより長く設け、この鋭角のアーム構成で入力軸４の回転力を約１．５倍に増強。
【産業上の利用可能性】
【００１２】  この増強装置の利用は動力の小型化及び省エネ。
【符号の説明】
【００１３】  １  リング
２  入力側板
３  入力軸受
４  入力軸
５  出力軸
６  ベース
７  ビス
８  出力軸受
９  出力側板
１０  ビス穴
１１、１３  軸穴
１２  入力アーム
１４  出力アーム
１５、１７  リンク軸
１６  増強板
【図１】
2018054125.tif 000003
【図２】
2018054125.tif 000004
【図３】
2018054125.tif 000005
【図４】
2018054125.tif 000006
【図５】
2018054125.tif 000007
【図６】
2018054125.tif 000008
【図７】
2018054125.tif 000009
(57)【要約】【課題】パルス幅が２ｎＳ以下のパルス光の発光の際の減衰を低減する技術を得る。【解決手段】パルス光を発光する回路であって、昇圧ブロック１０１と、レーザダイオード１０３と、回路配線１０５と、回路配線１０５に一端が接続されたチャージコンデンサ１０２と、レーザダイオード１０３への電圧印加のＯＮ／ＯＦＦを決定するスイッチング素子１０４とを備え、回路配線１０５のインダクタンスは、１．４ｎＨ以下であり、レーザダイオード１０３は、２ｎＳ以下パルス幅のパルス光を発光することを特徴とする発光回路１００。【選択図】図２
2018054415.tif 000002
【特許請求の範囲】
【請求項１】
パルス光を発光する回路であって、
電圧発生回路と、
発光素子と、
前記電圧発生回路と前記発光素子を接続する回路配線と、
前記回路配線に一端が接続されたチャージコンデンサと、
前記発光素子への電圧印加のＯＮ／ＯＦＦを決定するスイッチング素子と
を備え、
前記回路配線のインダクタンスは、１．４ｎＨ以下であり、
前記発光素子は、２ｎＳ以下パルス幅のパルス光を発光することを特徴とする発光回路。
【発明の詳細な説明】
【技術分野】
【０００１】
本発明は、パルス光の発光回路に関する。
【背景技術】
【０００２】
パルス光を用いた測距装置が知られている。図１の回路は、パルス測距を行う為の発光部回路である（特許文献１参照）。この種の回路では、従来１０ｎＳ程度のパルス幅で発光していた。この場合、本体の不要な内部反射によりレーザの干渉が起こり易く、測距値の偏差が悪化する。この為、本体に干渉を回避させる為の光学機構を設ける必要が有り、この事が本体のコストUPや小型化の妨げになっていた。
【０００３】
他方で、２ｎＳ以下のパルス幅で光らせる事で、レーザの干渉性を抑える事が出来、レーザ干渉回避用の光学機構を設けなくても高い精度の測距が可能となる。この場合、測距精度を確保しつつ、本体小型化や部品削減による安価な製品構成が実現可能となる（特許文献２参照）。
【先行技術文献】
【特許文献】
【０００４】
【特許文献１】特開２０１０−１３９２９５号公報
【特許文献２】特許３１６９０８２号公報
【発明の概要】
【発明が解決しようとする課題】
【０００５】
図１の回路で２ｎＳのパルス光を発光させる場合、回路の配線パターンのインダクタンスの影響で周波数特性が悪化し、２ｎＳ以下でパスル発光が出来なかった。本発明は、パルス幅が２ｎＳ以下のパルス光の発光を行う技術の提供を目的とする。
【課題を解決するための手段】
【０００６】
請求項１に記載の発明は、パルス光を発光する回路であって、電圧発生回路と、発光素子と、前記電圧発生回路と前記発光素子を接続する回路配線と、前記回路配線に一端が接続されたチャージコンデンサと、前記発光素子への電圧印加のＯＮ／ＯＦＦを決定するスイッチング素子とを備え、前記回路配線のインダクタンスは、１．４ｎＨ以下であり、前記発光素子は、２ｎＳ以下パルス幅のパルス光を発光することを特徴とする発光回路である。
【発明の効果】
【０００７】
本発明によれば、パルス幅が２ｎＳ以下のパルス光の発光を行う技術が得られる。
【図面の簡単な説明】
【０００８】
【図１】従来技術の回路図である。
【図２】本発明を利用した回路図である。
【図３】配線のインダクタンスの違いよる周波数と減衰値の関係を示すグラフである。
【発明を実施するための形態】
【０００９】
（構成）
図２には、発明を利用した発光回路１００が示されている。発光回路１００は、電源となる昇圧ブロック１０１、チャージコンデンサ１０２、発光素子であるレーザダイオード１０３、スイッチング素子１０４を備えている。昇圧ブロック１０１から電圧を与え、チャージコンデンサ１０２に電荷を蓄積した状態で、スイッチング素子１０４をＯＮにすると、チャージコンデンサ１０２に蓄積された電荷がレーザダイオード１０３に一瞬流れ、レーザダイオード１０３がパルス発光する。
【００１０】
この際、レーザダイオード１０３に至る配線１０５のインダクタンスが発光パルス幅に大きく影響する。図３には、配線１０５のインダクタンスの違いによる周波数（パルス幅に対応）と減衰値の関係が示されている。図３から明らかなように、配線１０５のインダクタンスを１．４ｎＨ以下とすることで、パルス幅２ｎＳにおける減衰値を３ｄＢに抑えられ、２ｎＳ発光を実現できる。
【００１１】
以下、配線１０５のインダクタンスを１．４ｎＨ以下とする具体例について説明する。一般に、ＰＣＢ配線パターンに対するインダクタンス成分（μＨ）は概略以下の式で求められる。なお、Ｌ：パターン長、Ｗ：パターン幅、Ｈ：パターン厚である。
【００１２】
【数１】
2018054415.tif 000003
【００１３】
従来の場合のパターンは、Ｌ＝７ｍｍ、Ｗ＝１ｍｍ、Ｈ＝１８μｍ程度であり、配線１０５のインダクタンスは、４．４ｎＨ程度であった。本実施形態では、配線１０５をＷ＝１ｍｍ、Ｈ＝１８μｍとした為、インダクタンスを１．４ｎＨ以下とするには、Ｌ＝３ｍｍ以下とすればよいことが判る。
【００１４】
以上述べたように、発光回路１００は、パルス光を発光する回路であって、電圧発生回路である昇圧ブロック１０１と、発光素子であるレーザダイオード１０３と、回路配線１０５と、回路配線１０５に一端が接続されたチャージコンデンサ１０２と、レーザダイオード１０３への電圧印加のＯＮ／ＯＦＦを決定するスイッチング素子１０４とを備え、回路配線１０５のインダクタンスは、１．４ｎＨ以下であり、レーザダイオード１０３は、２ｎＳ以下のパルス幅のパルス光を発光することを特徴とする。回路配線１０５のインダクタンスを１．４ｎＨ以下とすることで、レーザダイオード１０３が２ｎＳ以下パルス幅のパルス光を発光する際に、減衰値を３ｄＢ以下に抑えることができる。つまり２ｎＳ以下のパルス発光を実現できる。
【図１】
2018054415.tif 000004
【図２】
2018054415.tif 000005
【図３】
2018054415.tif 000006
【手続補正書】
【提出日】平成29年9月11日(2017.9.11)
【手続補正１】
【補正対象書類名】図面
【補正対象項目名】図１
【補正方法】変更
【補正の内容】
【図１】
2018054415.tif 000007
(57)【要約】【課題】本発明は、様々な種類の老眼鏡を上下できる老眼鏡上下スライド器具を提供する。【解決手段】老眼鏡上下スライド器具の主な構造を角棒２ゴム板４にする。角棒２の力が、ゴム板４に伝わるよう金具７を設ける。角棒２が、スムーズにスライドでき、適度の抵抗を受け固定できるようゴム枠３を設ける。角棒２がスムーズに上下できるよう、指あての平板５、枠板６、金具７を設ける。スライド器具本体を老眼鏡にセットできるようクリップ１、ゴム板８を設ける。【選択図】図１
2018054701.tif 000002
【特許請求の範囲】
【請求項１】
老眼鏡がスムーズに上下できるよう、角棒２とゴム製の鼻頭押さえゴム板４を設けたことを特徴とする老眼鏡スライド器具。
【請求項２】
角棒２が効率よく上下にスライドするのをサポートするゴム製の枠３を設けたことを特徴とする老眼鏡スライド器具。
【請求項３】
老眼鏡を上げる時に、人差し指がかけられるよう平板５を設けたことを特徴とする老眼鏡スライド器具。
【請求項４】
老眼鏡を上下させる時に、親指や人差し指がかけられるよう枠板６を設けたことを特徴とする老眼鏡スライド器具。
【請求項５】
鼻頭押さえゴム板４が、しっかり鼻頭を押さえられるよう、老眼鏡を下げる時に、親指があてられるよう金具７を設けたことを特徴とする老眼鏡スライド器具。
【請求項６】
老眼鏡上下スライド器具が、簡単に装着できるよう、クリップ１を設けたことを特徴とする老眼鏡スライド器具。
【請求項７】
老眼鏡上下スライド器具が、しっかり固定できるよう、クリップ１の内側に８のゴム板を設けたことを特徴とする老眼鏡スライド器具。
【発明の詳細な説明】
【技術分野】
【０００１】
本発明は、市販老眼鏡の上下スライドに関するものである。
【背景技術】
【０００２】
従来の老眼鏡は、跳ね上げ式老眼鏡のメガネ一体構造として、老眼鏡を一時取り外すことができるもので、付属器具で老眼鏡をかけたまま取り外せる器具は存在しない。
【発明の概要】
【発明が解決しようとする課題】
【０００３】
従来の老眼鏡で跳ね上げ式やメガネ中央の磁石で外せるもの以外は、老眼鏡をつけたり外したりしなければ近くの物や遠くの物を見ることができず手間がかかる。一般の老眼鏡を、老眼鏡をつけたまま、簡単に上下させることが課題である。 
【課題を解決するための手段】
【０００４】
以上の課題を解決するために、第一発明は、角棒２とゴム製の鼻頭押さえ器具４を設けたことを特徴とする老眼鏡スライド器具である。第二発明は、角棒２が上下にスライドするのをサポートするゴム製の枠３を設けたことを特徴とする。第三発明は、角棒２の上部に平板５を設けたことを特徴とする。第四発明は、角棒２をサポートする枠板６を設けたことを特徴とする。第五発明は、ゴム４を固定する金具７を設けたことを特徴とする。第六発明は、枠ゴム３と枠板６を固定したクリップを設けたことを特徴とする。第七発明は、クリップ１の内側に８のゴム板を設けたことを特徴とする。
【発明の効果】
【０００５】
第一発明によれば、角材２についているゴム製の鼻頭押さえ４が、角棒２と伴に上下することで、老眼鏡の位置を上下させることができる。 第二発明によれば、角棒２が上下するとき、角棒２の外径より少し小さいゴム枠３の穴が、程よく角棒２を押さえることにより、どの位置にも自由に固定することができる。 第三、第四、第五発明によれば、鼻頭を押さえるゴム板４を７の金具が支えることで、角棒２の上下運動が、鼻頭を押さえるゴム４に伝わる。平板５の上部と、枠板６の下部を人差し指と親指でつまむことで、老眼鏡が上がり、老眼鏡を外した状態になる。 枠板６の上部と、７の金具の下部を、人差し指と親指でつまむことで、老眼鏡が下がり、老眼鏡をかけた状態に戻すことができる。 第六、第七発明によれば、老眼鏡上下スライド器具の本体にクリップをつけることで、簡単に老眼鏡に器具をつけることができる。 また、クリップの内側に８のゴム板があることで、確実に老眼鏡を固定できる。 
【図面の簡単な説明】
【０００６】
【図１】図１は老眼鏡上下スライド器具全体の斜視図である。
【図２】図２は老眼鏡上下スライド器具の一実施形態を示す斜視図である。
【図３】図３は老眼鏡上下スライド器具の一実施形態を示す斜視図である。
【図４】図４は老眼鏡上下スライド器具の一実施形態を示す正面図である。
【図５】図５は老眼鏡上下スライド器具全体の側面図である。
【発明を実施するための形態】
【０００７】
本発明の実施形態を説明する。
（イ）老眼鏡上下スライド器具を簡単につけられるようクリップ１を設ける。
（ロ）１のクリップが老眼鏡を確実に固定できるよう８のゴム板を設ける。
（ハ）老眼鏡を効率良く上下にスライドできるよう角棒２とゴム枠３を設ける。
（ニ）鼻頭を押さえられるよう金具７とゴム板４を設ける。
（ホ）セットした老眼鏡を簡単に指で上下できるよう、平板５、板枠６、金具７を設ける。
【符号の説明】
【０００８】
１    クリップ
２    スライド角棒
３    サポートゴム枠
４    鼻頭押さえ用ゴム板
５    スライド時指あて用板
６    スライド時指あて用枠板
７    鼻頭サポート金具
８    老眼鏡滑り止めゴム板
【図１】
2018054701.tif 000003
【図２】
2018054701.tif 000004
【図３】
2018054701.tif 000005
【図４】
2018054701.tif 000006
【図５】
2018054701.tif 000007
(57)【要約】【課題】今まで、円周率によって作られていた公式がＡｃｏｓによってみまちがう。円周率によってできている本や国はある。ラジアンモードに限る。【解決手段】新数学などかんがえだされていけばいい。日本人が作ったなど紹介できる。電子回路や関数表など研究。イスにすわって、ベッドに寝転んで電卓に数式入力したり、グラフ関数計算機で作図すてみる。玉ねぎ畑で鉄砲ユリなど考え会話に使う。【選択図】図１
2018081660.tif 000002
【特許請求の範囲】
【請求項１】
円周率博士号など
【発明の詳細な説明】
【技術分野】
【０００１】      コンピューターや関数計算機に入力すると、円周率や円周率のある公式と同じ答えに計算する。
【背景技術】勉強不足解消と倒産防止の努力によって、作られた数式の応用。【０００２】
【先行技術文献】
第１級第２級アマチュア無線技士用新上級ハムになる本（丹羽一夫著）どちらもＣＱ出版  解説・無線工学（野口幸雄著）
【発明の概要】
【発明が解決しようとする課題】テンキーによってできる円周率
【課題を解決するための手段】コンピューターや関数計算機に、数式が入力されて同値にする。ラジアンモードの限る。
数式では＋やーで及び数字で色々入れ替える仕事がある。ソルブやソルバーで計算出来るが一回では正確な答えとは考えにくい時はある。
【発明の効果】たくさんの関数計算機に入力する。
たくさんの公式と計算できるか考える。
アプリケーションも数学系にできる。
先行技術文献は（ｄｅｇ）モードで答えが出来てくるが、円周率に代用できる数式はラジアンモードで同じ答えに計算する。
結局は、数字に取り組みやすい。
【図面の簡単な説明】
【図１】グラフ関数計算機に入力した時の図
【発明を実施するための形態】
イスにすわって、机にむかってコンピューターや関数計算機に取り組む。Ａｃｏｓ（０，５）などＡｃｏｓ（−０，５）など入力する。
【実施例】Ａｃｏｓ（０，５）＋Ａｃｏｓ（−０，５）＝３，１４１５９２６５４（ｒａｄ）
このときの（±０，５）は限られていなく、（０，１も（０，９）でも同じです。
電界強度＝６０＊π＊電流＊実効長／λ＊最大放射方向の距離  の公式に入力すると電流１０アンペア  実効長４２，８メートル  λ＝４２，８メートル  最大放射方向の距離１０メートル  によって
５９９８，３８６７２１Ｖ／ｍ＝６０＊Ａｃｏｓ（０，５）／０，３３３３３３３３３３＊１０＊１３，６２／４２，８＊１０（ｒａｄ）
上記のように円周率に代用出来る。
他に
５９９８，３８６７２１Ｖ／ｍ＝６０＊Ａｃｏｓ（−０，５）／０，６６６６６６６６６６＊１０＊１３，６２／４２，８＊１０（ｒａｄ）
上記はＡｃｏｓ（−０，５）／０，６６６６６６６６６６にして計算した。
ほかに、数式によっては、Ａｃｏｓ（−０，５）＊０，６６６６６６６６６６にすると、答えは同じになる公式もある。それは下の誘起電圧の公式です
誘起電圧＝（λ／π）＊電界強度  に入力すると
８１７２０＝（４２，８／Ａｃｏｓ（−０，５）＊０，６６６６６６６６６６６６＊５９９８，３８６７２１（ｒａｄ）
となって，
【符号の説明】＊積算／割算  ＝合計    （）カッコ    （ｒａｄ）ラジアン
Ａｃｏｓアークコサイン  π円周率  λ波長  Ｅ電界強度  Ｖ／ｍ電界強度の単位
【図１】
2018081660.tif 000003
(57)【要約】      （修正有）【課題】様々な動きのある事柄を習得する場合、個々の感覚、センス、能力もいろいろと差があっても、早期に習得する仕組みを提供する。【解決手段】サーバから受信した動画を参考にした、自身の動画をサーバに送信し、サーバで、自身の動画を見て診断し、サーバから、診断結果のアドバイスを受信して、どこに問題点があるかを確認できるようにする。そして、双方向で通信でアドバイスを受けることにより、より早い上達を可能とする。【選択図】図１
2018081620.tif 000002
【特許請求の範囲】
【請求項１】
インターネットによる動画配信とオンラインで相互に通信出来る診断システムを組み合わせた機構
【請求項２】
動画を配信して相互に通信でき、かつ診断できる機構
【発明の詳細な説明】
【技術分野】
【０００１】
この発明は、インターネット動画配信とオンラインで相互に通信出来る診断を組み合わせた上達支援システムに関するものである。
【背景技術】
【０００２】
従来、動きを伴う事柄を習得するには、現地で指導してもらい、自分の感覚に頼って習得しょうとしていた。又、離れている場合は、動画等での一方向での指導が一般的であった。
【先行技術文献】
【特許文献】
【０００３】
【特許文献１】従来、現地での指導又は動画配信等で見本を見て真似る(模倣)様式が主流であり、一方向性が強くなかなかそれのみでの早い上達が難しく、挫折することが多かった。問題は、見本と自分自身との違いがわからず、又能力  センス等も違うため上達を妨げていた。本システムは自身の動画を送信して診断してもらい、そして適切なアドバイス受け、どこに問題が゛あるのかはっきり自覚させ修正する。この行動を繰り返すことで、無駄をなくしてより効率的に、より早く飛躍的に上達する事ができる。従来は、現地でアドバイスを受けて、場所と時間が必要であったが、自分の時間に合わせて出来、無駄なく上達出来るのでより長く続けることが出来る。
【発明の概要】
【発明が解決しようとする課題】
【０００４】
従来は、現地に行って指導を受けるか又は動画、書物等で習得していた。しかし、場所、時間の問題もあった。最大の問題は個々の運動能力に差があり、時間をかけてもなかなか上達せず、途中で挫折することが、多くあった。又、感覚的な部分も多く、見本と自分自身との違いも判らないため、上達するのに多くの時間がかかっていた。
【課題を解決するための手段】
【０００５】
まず、インターネットを使って動画で配信する。サーバー(1)よりコンピューター(3)に動画を送信してする。そして、自身の動画をコンピューター(3)よりコンピューター(2)に送信する。そして、コンピューター(2)より診断、指導して送信する。本発明は、以上の構成よりなるシステムである。
【発明の効果】
【０００６】
インターネットを使って動画配信することで、いつでも何処でも見ることが出来、離れていても場所や時間の問題がなくなった。又自身の動画を送り、指導を受けることで自分自身を客観的に見ることが出来る。個々の運動能力に差があっても何処に問題があるのかが明確にわかり、問題部分を修正する事で無駄がなくなり、双方向で繰り返すことでより理解が深まり、飛躍的に上達が早くなった。なにより、今まで上達を感覚だけに頼っていたが、映像化して見て診断してもらうことで問題点をしっかり把握出来るようになった。
【図面の簡単な説明】
【０００７】
【図１】本発明の平面図である。
【発明を実施するための形態】
【０００８】
本発明を実施するための形態について説明する。インターネットでサーバー(１)からコンピューター(3)に動画を配信し、(3)からコンピューター(2)に診断する画像を送信し、コンピューター(2)からコンピューター(3)に診断結果を送信する。本発明は以上のような構造である。
【実施例】
【０００９】
サーバーより動画配信を受け、自身の画像を送信して診断してもらうことで、違いがわかり問題点がはっきりするようになった。そして、自身を客観的に見ることが出来、双方向で通信してアドバイスを受けることで上達の速度がより早くなった。時間、場所を選ばず、どこでも参加でき、自身の状態を見る事ができるので問題点を確認して修正出来るようになった。なにより問題点がわからず、スランプ状態が続くことがなくなり、途中で挫折する事無くより早く上達する事が出来るようになった。
【産業上の利用可能性】
【００１０】
動きのあるあらゆる分野で、相互に通信出来て診断できる事で上達の期間を飛躍的に早くして無駄をなくすことが出来る。スポーツ、習い事、趣味等でより効率的に早く上達する事で、より興味がわき、挫折する事無くより長く続ける事が出来るようになる。又、技能職、職人、伝統芸等は感覚的な要素が多くを占めるため、何十年も習得するのに期間がかかる事柄に関して、より短い期間で習得することが出来る。
【符号の説明】
【００１１】
1  サーバー    (1)  
2  コンピューター(2)
3  コンピューター(3)
【図１】
2018081620.tif 000003